(57)【要約】【課題】写真プリント費用を広告主が少なくても一部負担することができるとともに、画像内容と撮影者乃至は観察者または観察者のグループの属性から広告を選択し、その中から好きな広告を選択できるような広告付加装置を提供する。【解決手段】  画像情報と撮影者乃至は観察者の個人情報とにより自動的に広告を複数個選択し、その中から撮影者乃至は観察者または観察者のグループが好ましい広告を選択し、選択された広告を画像に付加する広告付加装置 【選択図】  図１
2008058843.tif 000002
【特許請求の範囲】
【請求項１】
撮影者によって撮影された写真を含む画像に広告を付加する広告付加装置で、前記画像の画像情報と撮影者乃至は観察者の個人情報とに基づき単数または複数の広告を自動的に選択する第１の選択手段と、前記選択された単数または複数の広告の中から広告をマニュアルで選択する第２の選択手段と、前記第２の選択手段により選択された広告を前記画像に付加する付加手段とを備えた広告付加装置。
【請求項２】
撮影者によって撮影された写真を含む画像に広告を付加する広告付加方法で、前記画像の画像情報と撮影者乃至は観察者の個人情報に基づき単数または複数の広告を自動的に選択するステップと、前記選択された単数または複数の広告の中から広告をマニュアルで選択するステップと、前記選択された広告を前記画像に付加するステップと、を有する広告を画像に付加する広告付加方法。
【請求項３】
撮影者によって撮影された写真を含む画像に広告が付加される広告付き画像で、前記画像の画像情報と撮影者乃至は観察者によって自動的に選択された単数または複数の広告の中から広告をマニュアルで選択し、前記広告が付加される広告付き画像。
【発明の詳細な説明】
【技術分野】
【０００１】
本発明は、写真を含む画像に広告を付加する装置及び撮影者乃至は写真を観察する観察者と広告主の双方に利する広告付加方法、広告付き画像に関し、特に広告主からの広告を大量に出回る写真を含む画像に付加し、更に、写真のプリント及び画像の処理に関する費用を広告主が少なくとも一部を負担するようにした広告付加装置、広告付加方法並びに広告付き画像に関する。
【背景技術】
【０００２】
従来、撮影者が撮影した画像を解析して画像情報を得、その画像情報に適切な広告を選択して写真に付加する方法について知られている（例えば特許文献１）。
また、撮影者がプリント依頼時にアンケート用紙に記載した撮影者情報に基づいて複数の広告を記憶するデータベースから適合する広告を選択し、写真プリントに付加し、広告主が写真プリントに関する費用を少なくとも一部負担する広告付写真プリントの製造方法は知られている（例えば特許文献２）。
【０００３】
【特許文献１】特開２００２−１５２２０
【特許文献２】特開２００４−１７７７２７
【発明の開示】
【発明が解決しようとする課題】
【０００４】
上述の特許文献１では、撮影者が撮影した画像を解析して画像情報を得るものである。この画像情報だけでは、正確な被写体の情報が得られるものでないし、技術的に大変困難な技術で、大掛かりな装置が必要となる。
特許文献２では、撮影者が写真を撮ってプリントを依頼する場合に依頼時にアンケート用紙に撮影者が記載した情報、例えば、撮影者の性別、年齢、家族構成、職種、地域、趣味に基づいて付加した広告である。その広告の内容に適した画像でないこともあり、また、写真は撮影者自身のための写真ではなく、例えばその写っている人に提供する場合もあるし、例えばかわいいネコの写真などネコ愛好家である人に送る場合もある。そのときに提供される側に立った広告でないと好ましい広告と言えずに広告をした割には広告主を喜ばすことなく、広告の効果が出ないので広告主を失望させる場合もあった。
【０００５】
本発明は、このような従来の構成が有していた問題を解決しようとするものであり、写真を提供される撮影者乃至は観察者に適した広告を選択し、広告主を失望させない広告付写真プリント装置を提供するものである。
【課題を解決するための手段】
【０００６】
本発明は、撮影者によって撮影された写真を含む画像に広告を付加する広告付加装置で、前記画像の画像情報と撮影者乃至は観察者の個人情報とに基づき単数または複数の広告を自動的に選択する第１の選択手段と、前記選択された単数または複数の広告の中から広告をマニュアルで選択する第２の選択手段と、前記第２の選択手段により選択された広告を前記画像に付加する付加手段とを備えた広告付加装置を提供することにある。
【０００７】
撮影者によって撮影された写真を含む画像に広告を付加する広告付加方法で、前記画像の画像情報と撮影者乃至は観察者の個人情報に基づき単数または複数の広告を自動的に選択するステップと、前記選択された単数または複数の広告の中から広告をマニュアルで選択するステップと、前記選択された広告を前記画像に付加するステップと、を有する広告を画像に付加する広告付加方法を提供することにある。
【０００８】
撮影者によって撮影された写真を含む画像に広告が付加される広告付き画像で、前記画像の画像情報と撮影者乃至は観察者によって自動的に選択された単数または複数の広告の中から広告をマニュアルで選択し、前記広告が付加される広告付き画像を提供することにある。
【発明の効果】
【０００９】
上述したように本発明により画像情報と撮影者乃至は観察者の個人情報とに基づいて自動的に広告を選択し、そこで選択された広告の中からマニュアルで広告を選択するので適切な広告が写真に付加され、広告を付加することによりプリント代が補助されるメリットを撮影者並びに観察者は享受することができた。
【発明を実施するための最良の形態】
【００１０】
図１は、本発明の広告付加装置の概略構成を示す。１は広告コンテンツマッチングシステム装置、２は撮影者並びに観察者が画像を入力し転送させるパーソナルコンピューターや携帯電話機等であるクライアント端末を示し、不図示のインターネット等のネットワークを介して広告コンテンツマッチングシステム装置１とクライアント端末２は接続されている。広告コンテンツマッチングシステム装置１は、３で示す画像サーバ、４で示す顧客管理サーバ、５で示す広告コンテンツサーバ、６で示すマッチングシステムで構成されている。７は選択された広告を選択するマニュアル選択システム、画像サーバ３に保管された画像と選択された広告とを合成する画像合成システムを示し、９は画像合成システム８で合成された広告付き画像をプリントするプリントシステムを示す。
【００１１】
画像サーバ３には画像を保管した１０で示す画像データベースと、画像の内容を分類した画像分類情報を含む画像分類情報データベースを示す１１を備える。また、顧客管理サーバ４には１２で示す撮影者の個人属性を備えた撮影者属性データベースと、１３で示す撮影者が撮影した画像を観察する観察者の個人属性を備えた観察者属性データベースと、更に１４で示す観察者が団体である場合に観察者グループの観察者グループ属性データベースを備える。また広告コンテンツサーバ５には、１５で示す広告主の要望事項を記憶した広告ターゲットデータベースと１６で示す１つ又は複数の広告データを格納する広告コンテンツデータベースとを備え、広告コンテンツデータベース１６は広告ターゲットデータベース１５のターゲットによって分類されているが、広告コンテンツは１つ又は複数の広告ターゲットデータに対応している。広告マッチングサービスを管理するマッチングシステム６を中心として、撮影者乃至は観察者がネットワークを介して画像を格納する画像サーバ３内の画像データベース１０及び、撮影者乃至は観察者の個人情報を登録する顧客管理サーバ４には撮影者属性データベース１２と、観察者属性データベース１３と、観察者がグループである場合の観察者グループ属性データベース１４に接続されており、広告コンテンツサーバ５からの要求に応じてマッチングすることができ、マッチングされた複数の広告の中からマニュアル選択システム７で撮影者乃至は観察者が所望の広告を選択して画像合成システム８で画像と広告コンテンツが合成されたデータが、プリントシステム９へと伝達することができる。なお図１では、合成システム８の後にプリントシステム９が接続されているが、マッチング後に合成するのではなくプリント後に広告コンテンツを付加してもよい。例えば、インクジェットプリンターで画像をプリント後に、広告コンテンツをプリントされた画像に再プリントしてもよい。
【００１２】
広告コンテンツマッチングシステム１に接続するクライアント端末２は、パーソナルコンピューターやカメラ付き携帯電話等のインターネットに接続できる端末を指し、今後送信機能付きデジタルカメラや、デジタルＴＶ等のネットワーク接続が可能な端末を全て対象としている。
【００１３】
画像サーバ３とは、画像データベース１０及び画像分類情報データベース１１で構成され、撮影者乃至は観察者並びにクライアント端末への入力を代行するユーザーのクライアント端末２から不図示のインターネット等のネットワークを介して受け取った画像データに対して画像データ処理を行い画像データベース１０に格納される。または、画像データベース内に格納後に画像処理をしてもよい。
【００１４】
画像分類情報データベース１１とは、撮影者乃至は観察者が撮影前または撮影後に写真そのものを分類し設定する情報であり、写真の内容を特定するための１つ以上のキーワードを持つ言語及び数字で構成されるタグ情報を格納している。例えば画像データに対して「海」「サーフィン」「晴れ」「きもちいい」等の１つ以上のタグ情報として表され格納することができる。なお、前記画像データは、ＷＷＷ上に設けられたサイト上での観察も考えられ、撮影者乃至は観察者だけではなく画像データを観察した１人以上の第３者が設定することができ、画像内容をいろいろな内容で捉えることができる。
【００１５】
顧客管理サーバ４は、撮影者属性データベース１２、観察者属性データベース１３、観察グループデータベース１４から構成されている。撮影者乃至は観察者並びにクライアント端末への入力を代行するユーザーのクライアント端末２から画像データをインターネット等のネットワークを介して受け取る工程において前記撮影者乃至は観察者の氏名・住所・年齢・性別・国籍・電話番号・メールアドレス・最終学歴・家族構成・配偶者情報・住居形態・趣味嗜好・勤務先情報やその他アンケート項目を入力し保管する処理を撮影者属性データベース並びに観察者属性データベース１３が行う。また、観察者が一人以上の場合は、団体などの属性情報を入力させ保管を観察グループデータベース１４が行う。
【００１６】
本発明により、複数の広告を含む広告群を記憶した広告付加装置で、撮影者によって撮影された撮影者乃至は観察者の個人情報と、撮影前または撮影後に写真そのものを分類し設定する情報と、広告を提供する広告主の要望情報とに基づいて前記広告群の内から広告複数の広告を選択し、選択された複数の広告の中から撮影者乃至は観察者が所望の広告を選択し、前記選択された広告を前記画像に付加する広告付加装置を提供することができる。
【００１７】
図２で広告の選択過程を示すフローチャートで説明する。
まず、Ｓ１で示すようにクライアント端末２より画像を画像データベース１０に格納する。次にＳ２で示すように画像の内容を示す画像分類データベース１１に「海」と入力するか、予め用意されたタグ情報で「海」を選択する。次にＳ３で示すように、この画像は撮影者自身のための画像か贈呈用なのかを決める。そこで贈呈用とすれば、Ｓ４で示しているように住所が福岡市の場合に、観察者属性データベース１３、「福岡市」を入力する。Ｓ５に示すように広告ターゲットデータベース１５に「福岡市」を入力すると、Ｓ６に示されているように広告コンテンツデータベース１６から「サーフショップ」の広告、「つり宿」の広告が抽出され、Ｓ７で示すように撮影者からみて観察者には「つり宿」の広告が好ましいと思って「つり宿」の広告を選択し、「つり宿」の広告をこの写真に付加することで、広告主にとっても九州の顧客であり、好都合な広告となり、プリント料金を広告主が補助しても広告主にとって利することになり、撮影者乃至は観察者にとっても安価にプリントができることになる。
【００１８】
もしもこの画像が撮影者用とし、撮影者が７０歳の場合には撮影者データベース１２に、Ｓ８に示すように「高齢者」を入力する。Ｓ９に示すように広告ターゲットデータベース１５に「高齢者」と入力する。Ｓ１０で示すように広告コンテンツデータベース１６から「世界一周ヨットの旅」、海岸がきれいな「○○温泉」の広告、の広告が抽出される。次にＳ１１に示すように撮影者自身がこの二つの広告から「○○温泉」の広告を選択する。
【００１９】
図３は、図２のＳ６以降を示し、撮影者乃至は観察者が前記Ｓ６、Ｓ１０のステップで操作するディスプレイである。撮影者乃至は観察者属性に入力された情報とストアされた広告企業群をマッチングし適した広告群が表示される、撮影者乃至は観察者はチェックボックスやプルダウン等の手段でプリント写真に付けたい広告を選択し、「ＯＫ」ボタンを押下し次の画面に進む。次の画面は前記Ｓ７、Ｓ１１のステップであり、撮影者乃至は観察者の写真と広告画像が合成させた画像を表示させる。この時、必ずしも広告画像は実際の画像ではなく、プリントイメージ図であってもよい。表示された画像でよければ「ＯＫ」ボタンを押下しプリントされる。
【００２０】
以上のように、本発明は画像内容、撮影者乃至は観察者の個人情報、広告内容から画像内容、個人情報から広告が自動的に複数の広告が選択され、最終的には撮影者が自身のため、画像を贈呈する相手を見て適正な広告を選択して画像に付加するので、画像のプリント代は補助され、撮影者からみて無理やりに広告を付けられているという感情を持たずに好ましい結果が得られる。
【図面の簡単な説明】
【００２１】
【図１】本発明に係る広告付加装置の概略構成を示す。
【図２】本発明の広告の選択過程を示すフローチャートを示す。
【図３】本発明に係るディスプレイを示す。
【符号の説明】
【００２２】
１・・・広告コンテンツマッチングシステム装置
２・・・クライアント端末
３・・・画像サーバ
４・・・顧客管理サーバ
５・・・広告コンテンツサーバ
６・・・マッチングシステム
７・・・マニュアル選択システム
８・・・画像合成システム
９・・・プリントシステム
１０・・・画像データベース
１１・・・画像分類情報データベース
１２・・・撮影者属性データベース
１３・・・観察者属性データベース
１４・・・観察者グループデータベース
１５・・・広告ターゲットデータベース
１６・・・広告コンテンツデータベース
【図１】
2008058843.tif 000003
【図２】
2008058843.tif 000004
【図３】
2008058843.tif 000005